(57)【要約】      （修正有）【課題】熟練を要することなく簡単に効率よく、締結金具をダクトのフランジ部間に取着することができる締結工具を提供する。【解決手段】締結工具１は、フランジ部とそれに沿って突設された補強用リブを有するダクト同士を接合してその外縁部分を挟持するため、断面略「７」の字状の締結金具の開口端部を外縁部分に被せるべく、先端に締結金具の開口端を係止する逆「コ」の字状の屈曲部１Ａを備え基端方に締結金具の頭部に当接する当接部１Ｂを備えその基端方に把持部１Ｄが形成されている。屈曲部の外方に、先端がダクトのフランジ部付け根とリブの間に係止できるエッジ部１Ｅを有し、その基端方に、外方へ「へ」の字状に突出した突出部分１Ｆが締結金具の屈曲片に当接して該屈曲片をフランジ部側に折り曲げることができる折曲形成部１Ｇを備えている。【選択図】図１
0003175153.tif 000002
【実用新案登録請求の範囲】
【請求項１】
接続しようとするダクト端に形成されたフランジ部とその中央方に隣接して該フランジ部に沿うよう突設されている補強用リブとを有するダクト同士を、それらの各フランジ部を当接させてダクトを長手方向に接合することによって、接続部分に形成される側断面が略Ｔ字状の外縁部分を、両側から挟持するために、断面が略「７」の字状になった締結金具の頭部に形成された略逆Ｕ字状の開口端部を押し拡げた状態で、上記Ｔ字状の外縁部分に被せるために、
先端に、上記締結金具の開口端の一方の端を係止し、開口端が基端方を向くような略逆「コ」の字状の屈曲部を備え、その基端方に隣接して、当該締結金具の上記略逆Ｕ字状になった頭部の外側の面に当接する当接部を備え、該当接部から基端方に延設された延設部を介してその基端方に手で把持する把持部が形成されている、締結工具であって、
この締結工具が、上記屈曲部から延設部にかけての外方に、
先端がダクトのフランジ部付け根の屈曲部分と上記リブとの間の部分に係止できるエッジ部を有し、その基端方に、外方へ「へ」の字状に突出した突出部分が上記締結金具の屈曲片に当接して該屈曲片をフランジ部側に折り曲げることができる折曲形成部を備えていることを特徴とする締結工具。
【請求項２】
上記当接部が、締結金具の略逆Ｕ字状になった頭部の外側の面の形状に合致した部分逆Ｕの字状に湾曲した部位を備えている請求項１記載の締結工具。
【請求項３】
上記開口端が基端側を向いた先端の略逆「コ」の字状の屈曲部の第１の開口端から基端方へ上記延設部の長手方向に略平行に延びるとともに、該略平行に延びた部分とその基端方に屈曲して隣接する部分とで上記当接部を形成しており、かかる当接部の基端から基端方へ向けて上記屈曲した分だけ反対方向に略同じ角度だけ屈曲して延びることによって上記延設部が形成されており、上記折曲形成部が先端側の部分と基端側の部分とを有しこれらの部分が相互に略９０度屈曲しているとともに、上記当接部の上記隣接する部分の外側の面に上記折曲形成部の先端側の部分が接触するように相互に固定されており、上記折曲形成部の先端に上記エッジ部が形成されており、上記エッジ部の先端から上記突出部分の「へ」の状に突出した頂点までの長さが上記フランジ部のダクトの外側の面からフランジ部の端までの高さ（フランジ部の幅）と略等しく構成されている請求項１記載の締結工具。
【請求項４】
上記把持部の基端方に、上記延設方向に直交する方向に把持部の幅方向の端から端部が突出した棒状の係止部材がさらに一体に取着されている請求項１記載の締結工具。
【考案の詳細な説明】
【技術分野】  本考案は、締結工具に関し、詳しくは、両端部に接続用のフランジ部を備えたダクト同士を締結する締結金具を、該フランジ部間に取着（嵌着）するための、締結工具に関する考案である。
【背景技術】  建屋等に付属して空調用等のダクトラインが設備されるとき、そのダクトラインは規定寸法のダクトを必要な数だけ長手方向に接続して所望の長さにする。  四角形の断面をもった筒状のダクトの場合、以下のように組み立てられる。  すなわち、長手方向の両端部が外側に直角に屈曲された四枚の板状の部材の両側端部を、長手方向に沿って形成された所謂「はぜ継手」を用いて、相互に接続することによって、四角筒状のダクトに組み立てられる。
このような四角筒状のダクトの長手方向の両端部には、上記した外側に直角に屈曲した部位が組み立てられることによって「四角リング状」のフランジ部が形成されている。  このようなダクトのフランジ部の中央側に隣接した部位には、補強用と歪み取り等のために、断面が半円状の凹部からなる補強用リブが、該フランジ部に沿って形成されている。
各ダクト間を接続するときは、図１０に図示するように、各ダクト端部の上記フランジ部同士を当接させて接合した状態で、二つのフランジ部の四隅部分を、ボルトとナットで相互に連結する。さらに、接合したフランジ部間に隙間ができるのを無くすため、接合した二つのフランジ部の各辺の真ん中部分を、断面が略コの字状のクリップ式の締結金具で挟持する（特許文献１，２）。
本出願人は、ダクトに振動等が加わることによって上記した締結金具がフランジ部から落下するのを防ぐため、上記締結金具の一部に屈曲片を設けたものを提案している（特許文献３）。
【先行技術文献】
【特許文献】
【特許文献１】  特開平１０−１９６８６１号公報
【特許文献２】  特開昭６２−２５５６８７号公報
【特許文献３】  特許出願番号２０１０−２８３４１６号明細書
【考案の概要】
【考案が解決しようとする課題】  上記した締結金具を、フランジ部間を挟持するよう取り付けるときに、市販の工具（例えば、プライヤー）等によっておこなおうとすると、この締結金具がバネ作用を有するために、作業に一定の熟練が要求され、難しい作業であることから作業効率も低い。  また、上記締結金具をフランジ部から取り外すときには、ドライバーのようなものを上記締結金具とフランジ部との間に差し込んで先端を支点にして回動させる等の動作をおこなう必要がある。
この考案は上記した状況のもとに考案されたものであり、熟練を要することなく、簡単に効率よく、締結金具を、接合したダクトのフランジ部間に脱落することのないように取着することができ且つ取り外すことができる締結工具を提供することを目的とする。
【課題を解決するための手段】  前記目的は下記の構成からなる締結工具によって達成することができる。  この考案の締結工具は、接続しようとするダクト端に形成されたフランジ部とその中央方に隣接して該フランジ部に沿うよう突設されている補強用リブとを有するダクト同士を、それらの各フランジ部を当接させてダクトを長手方向に接合することによって、接続部分に形成される側断面が略Ｔ字状の外縁部分を、両側から挟持するために、断面が略「７」の字状になった締結金具の頭部に形成された略逆Ｕ字状の開口端部を押し拡げた状態で、上記Ｔ字状の外縁部分に被せるために、
先端に、上記締結金具の開口端の一方の端を係止し、開口端が基端方を向くような略逆「コ」の字状の屈曲部を備え、その基端方に隣接して、当該締結金具の上記略逆Ｕ字状になった頭部の外側の面に当接する当接部を備え、該当接部から基端方に延設された延設部を介してその基端方に手で把持する把持部が形成されている、締結工具であって、
この締結工具が、上記屈曲部から延設部にかけての外方に、
先端がダクトのフランジ部付け根の屈曲部分と上記リブとの間の部分に係止できるエッジ部を有し、その基端方に、外方へ「へ」の字状に突出した突出部分が上記締結金具の屈曲片に当接して該屈曲片をフランジ部側に折り曲げることができる折曲形成部を備えている。
上記本締結工具によれば、開口端が基端側を向いた先端の略逆「コ」の字状の屈曲部を、締結しようとする締結金具の開口端の一端に係止して、上記当接部を締結金具の略逆Ｕ字状（又は逆Ｖ字状、これらを逆Ｕ字状という）の頭部の外側の面に当接させた状態で、上記把持部を手で握って、上記屈曲部を中心に、締結しようとする相手のフランジ部側に回動させるだけで、接合しようとするフランジ部間に締結金具を「てこの原理」によって、上記被せるような状態で容易に取着することができる。  そして、上記締結金具による締結が完了すると、本締結工具の上記エッジ部の先端を、フランジ部の屈曲部分とリブとの間の部分に係止させて、そのエッジ部を中心に把持部側をフランジ部に近づく側に回動させれば、上記突出部分が屈曲片に当接して屈曲片がフランジ部側に折り曲がり、折り曲げられた締結金具の屈曲片がフランジ部同士を係止・固定することができる。
上記締結工具において、上記当接部が、締結金具の略逆Ｕ字状になった頭部の外側の面の形状に合致した部分逆Ｕの字状（又は逆Ｖ字状、これらを逆Ｕ字状という）に湾曲した部位を備えていると、上記取着の際に、安定して締結工具の当接部を締結金具の頭部の外側の面に沿わせた状態で使用することができる。
上記締結工具において、上記開口端が基端側を向いた先端の略逆「コ」の字状の屈曲部の第１の開口端から基端方へ上記延設部の長手方向に略平行に延びるとともに、該略平行に延びた部分とその基端方に屈曲して隣接する部分とで上記当接部を形成しており、かかる当接部の基端から基端方へ向けて上記屈曲した分だけ反対方向に略同じ角度だけ屈曲して延びることによって上記延設部が形成されており、上記折曲形成部が先端側の部分と基端側の部分とを有しこれらの部分が相互に略９０度屈曲しているとともに、上記当接部の一部を構成する上記隣接する部分の外側の面に上記折曲形成部の基端側の部分が接触するように相互に固定されており、上記折曲形成部の先端に上記エッジ部が形成されており、上記エッジ部の先端から上記突出部分の「へ」の状に突出した頂点までの長さが上記フランジ部のダクトの外側の面からフランジ部の端までの高さ（フランジ部の幅）と略等しく構成されていると、屈曲片を屈曲させるのに好ましい構成となる。
上記締結工具において、上記把持部の基端方に、上記延設方向に直交する方向に把持部の幅方向の端から端部が突出した棒状の係止部材がさらに一体に取着されていると、かかる係止部材の上記突出した端部で、上記屈曲された屈曲片を元の状態に戻すことができる。
【考案の効果】  前述のような構成からなる本考案にかかる締結工具によれば、熟練を要することなく、簡単に効率よく締結金具を、接合したダクトのフランジ部間に脱落することのないように取着することができる。また、締結金具を簡単に取り外すことができる。
【図面の簡単な説明】
【図１】  本考案の実施例にかかる締結工具の構成を示す右側面図である。
【図２】  図１に示す締結工具の構成を示す平面図である。
【図３】  図１に示す締結工具の構成を示す底面図である。
【図４】  （ａ）は図３のａ−ａ矢視図，（ｂ）は図３のｂ−ｂ矢視図である。
【図５】  接合しようとする各ダクトのフランジ部同士を接合させた状態を示す部分断面図である。
【図６】  図５に示すフランジ部間に締結金具の一端を係止したときの状態を、フランジ部を断面して表した図である。
【図７】  図６に示す状態から本考案にかかる締結工具を用いて締結金具を締結する状態を、フランジ部を断面して表した図である。
【図８】  図７に示す状態から締結工具を図において略９０度程度だけ時計方向に回動させて締結が完了した状態を表した図である。
【図９】  図８に示すように締結金具をフランジ部に締結した後に、この締結金具の屈曲片を折曲させるときの状態を示す側面図である。
【考案を実施するための形態】
【実施例】  図１〜図５に図示するこの実施例にかかる締結工具１は、図１０に図示するように、所定長さの各ダクト１０の各フランジ部１１を当接させてダクト１０同士を長手方向に接合する際に用いる締結金具２０を、上記当接させたフランジ部１１間に締結（挟着）するのに使用する。
上記ダクト１０は、図１０に図示するように、四角形の断面を有する筒状体（四角筒状体）の形態を有し、ダクト端には両端に四角枠状のフランジ部１１を有する。また、図５乃至図９に図示するように、上記ダクト１０のフランジ部１１の中央側には、該フランジ部１１に隣接し且つ該フランジ部１１に沿って外方に突出した、断面が半円状の補強用リブ１２が、当該フランジ部１１に隣接して形成されている。
図１〜図５に図示するこの実施例にかかる締結工具１は、先端に、図６に図示する上記締結金具２０の開口端２１の一方の端２１ａを係止し、開口端１ａが基端方（矢印Ｅの側参照）を向くような略逆「コ」の字状の屈曲部１Ａを備え、その基端方に隣接して図６に図示する締結金具２０の上記略逆Ｕ字状になった頭部２０ｈの外側の面２０ｆに当接する当接部１Ｂを備え、該当接部１Ｂから基端方に延設された延設部１Ｃを介してその基端方に手で把持する把持部１Ｄが形成されている。上記屈曲部１Ａから延設部１Ｃにかけての外方に、先端が、図９に図示するダクト１０のフランジ部１１の屈曲部分１１ａと上記リブ１２との間の部分１３に係止できるエッジ部１Ｅを有し、その基端方に、外方へ突出した突出部分１Ｆが図９に図示する締結金具２０の屈曲片２０ｃに当接して該屈曲片２０ｃをフランジ部１１側に折り曲げる（図９に図示する屈曲片２０ｃは折り曲げられた後の状態を示す）ことができる折曲形成部１Ｇを備えている。なお、屈曲片２０ｃは締結金具２０の一部に切り込みを入れて且つ長さを短くすることによって、形成される
上記当接部１Ｂは、上記締結金具２０の略逆Ｕ字状になった頭部２０ｈの外側の面２０ｆの形状に略合致した部分逆Ｕの字状（又は逆Ｖ字状、これらを逆Ｕ字状という）に湾曲した部位１ｂを備えている。
上記開口端１ａが基端方を向いた先端の略逆「コ」の字状の屈曲部１Ａの第１の開口端部１ｓから基端方へ上記延設部１Ｃの長手方向に略平行に延びるとともに、該略平行に延びた部分１ｊとその基端方に屈曲して隣接する部分１ｋとで上記当接部１Ｂを形成しており、かかる当接部１Ｂの基端からこの締結工具１の基端方へ向けて上記屈曲した角度だけ反対方向に略同じ角度だけ屈曲して延びることによって上記延設部１Ｃが形成されており、上記折曲形成部１Ｇが先端側の部分１ｍと基端側の部分１ｎとを有しこれらの部分１ｍ，１ｎが相互に略９０度屈曲しているとともに、上記当接部１Ｂの一部を構成する上記隣接する部分１ｋの外側の面に上記折曲形成部１Ｇの基端側の部分１ｎが接触するように相互に固定されており、上記折曲形成部１Ｇの先端に上記エッジ部１Ｅが形成されており、上記エッジ部１Ｅの先端から上記突出部分１Ｆの「へ」の状に突出した頂点１ｗまでの長さが図８に図示するフランジ部１１のダクト１０の外側の面１０Ｆからフランジ部１１の端までの高さ（フランジ部の幅）Ｈと略等しく構成されている。
図２に図示するように、上記把持部１Ｄの基端方に、上記延設方向に直交する方向に把持部１Ｄの幅方向の端から端部１ｔが突出した棒状の係止部材１Ｔがさらに一体に取着されている。
上記した締結工具１によると、ダクト１０のフランジ部１１間に締結金具２０を挟着するに際して、次のように作用する。
即ち、図５に図示するように、接合しようとする二つのダクト１０を、それらのフランジ部１１同士を接合して、かかる接合された接続部分に形成される側断面が略Ｔ字状の外縁部分３０に、図６に図示するように、断面が略「７」の字状の締結金具２０の開口端２１の一方の端２１ａを係止する。
上記の状態で、図７に図示するように、上記締結金具２０の一方の端２１ａに、上記締結工具１の屈曲部１Ａを係止し、上記当接部１Ｂが上記締結金具２０の上記略逆Ｕ字状になった頭部２０ｈの外側の面２０ｆに当接するような状態で、上記把持部１Ｄを手で握って、上記屈曲部１Ａを中心に時計方向に略７０度ほど回転させる。
このように回転させると、「てこの原理」によって、図８に図示するような状態となって、締結金具２０でフランジ部１１同士を挟持・締結できる。
このような状態から、上記締結工具１を上記接続部分から外して、図９に図示するように、この締結工具１のエッジ部１Ｅの先端を、フランジ部１１の屈曲部分１１ａと補強用リブ１２との間の部分１３に係止させて、このエッジ部１Ｅを中心に把持部１Ｄ側をフランジ部１１に近づく側（図９において反時計側）に実線で示す位置から二点鎖線で示す位置まで回動させれば、上記突出部分１Ｆが上記締結金具２０の屈曲片２０ｃに当接してこの屈曲片２０ｃがフランジ部１１側に折り曲がり、折り曲げられた締結金具２０の屈曲片２０ｃがフランジ部１１同士を係止・固定することができる。
また、上記ダクト１０同士の接続を解除したいようなときに、上記屈曲片２０ｃを元の状態に戻すときには、図９において折り曲げられている屈曲片２０ｃの背面方の空間３２に、上記締結工具１の棒状の係止部材１Ｔの端部１ｔを挿入して上記屈曲したと逆の方向に屈曲片２０ｃに力を加えれば、屈曲した上記屈曲片２０ｃを簡単に元に戻すことが可能となる。
前述した実施例は本考案の単なる実施例であって、本考案は、上記実施例に限定されるものでなく、本考案の技術的思想に基づく範囲において種々の形態で実施することが可能であることは言うまでもない。
【産業上の利用可能性】  本考案にかかる締結工具は、ダクト間を締結する締結金具の締結用等として使用することができる。
【符号の説明】    １．．．締結工具
１Ａ．．．屈曲部
１Ｂ．．．当接部
１Ｄ．．．把持部
１Ｅ．．．エッジ部
１Ｆ．．．突出部分
１Ｇ．．．折曲形成部
１０．．．ダクト
１１．．．フランジ部
１２．．．補強用リブ
２０．．．締結金具
２０ｃ．．．屈曲片
【図１】
0003175153.tif 000003
【図２】
0003175153.tif 000004
【図３】
0003175153.tif 000005
【図４】
0003175153.tif 000006
【図５】
0003175153.tif 000007
【図６】
0003175153.tif 000008
【図７】
0003175153.tif 000009
【図８】
0003175153.tif 000010
【図９】
0003175153.tif 000011
【図１０】
0003175153.tif 000012
【手続補正書】
【提出日】平成24年3月2日(2012.3.2)
【手続補正１】
【補正対象書類名】明細書
【補正対象項目名】全文
【補正方法】変更
【補正の内容】
【考案の詳細な説明】
【技術分野】
【０００１】  本考案は、締結工具に関し、詳しくは、両端部に接続用のフランジ部を備えたダクト同士を締結する締結金具を、該フランジ部間に取着（嵌着）するための、締結工具に関する考案である。
【背景技術】
【０００２】  建屋等に付属して空調用等のダクトラインが設備されるとき、そのダクトラインは規定寸法のダクトを必要な数だけ長手方向に接続して所望の長さにする。  四角形の断面をもった筒状のダクトの場合、以下のように組み立てられる。  すなわち、長手方向の両端部が外側に直角に屈曲された四枚の板状の部材の両側端部を、長手方向に沿って形成された所謂「はぜ継手」を用いて、相互に接続することによって、四角筒状のダクトに組み立てられる。
このような四角筒状のダクトの長手方向の両端部には、上記した外側に直角に屈曲した部位が組み立てられることによって「四角リング状」のフランジ部が形成されている。
このようなダクトのフランジ部の中央側に隣接した部位には、補強用と歪み取り等のために、断面が半円状の凹部からなる補強用リブが、該フランジ部に沿って形成されている。
各ダクト間を接続するときは、図１０に図示するように、各ダクト端部の上記フランジ部同士を当接させて接合した状態で、二つのフランジ部の四隅部分を、ボルトとナットで相互に連結する。さらに、接合したフランジ部間に隙間ができるのを無くすため、接合した二つのフランジ部の各辺の真ん中部分を、断面が略コの字状のクリップ式の締結金具で挟持する（特許文献１，２）。
本出願人は、ダクトに振動等が加わることによって上記した締結金具がフランジ部から落下するのを防ぐため、上記締結金具の一部に屈曲片を設けたものを提案している（特許文献３）。
【先行技術文献】
【特許文献】
【０００３】
【特許文献１】  特開平１０−１９６８６１号公報
【特許文献２】  特開昭６２−２５５６８７号公報
【特許文献３】  特許出願番号２０１０−２８３４１６号明細書
【考案の概要】
【考案が解決しようとする課題】
【０００４】  上記した締結金具を、フランジ部間を挟持するよう取り付けるときに、市販の工具（例えば、プライヤー）等によっておこなおうとすると、この締結金具がバネ作用を有するために、作業に一定の熟練が要求され、難しい作業であることから作業効率も低い。
また、上記締結金具をフランジ部から取り外すときには、ドライバーのようなものを上記締結金具とフランジ部との間に差し込んで先端を支点にして回動させる等の動作をおこなう必要がある。
この考案は上記した状況のもとに考案されたものであり、熟練を要することなく、簡単に効率よく、締結金具を、接合したダクトのフランジ部間に脱落することのないように取着することができ且つ取り外すことができる締結工具を提供することを目的とする。
【課題を解決するための手段】
【０００５】  前記目的は下記の構成からなる締結工具によって達成することができる。  この考案の締結工具は、接続しようとするダクト端に形成されたフランジ部とその中央方に隣接して該フランジ部に沿うよう突設されている補強用リブとを有するダクト同士を、それらの各フランジ部を当接させてダクトを長手方向に接合することによって、接続部分に形成される側断面が略Ｔ字状の外縁部分を、両側から挟持するために、断面が略「７」の字状になった締結金具の頭部に形成された略逆Ｕ字状の開口端部を押し拡げた状態で、上記Ｔ字状の外縁部分に被せるために、
先端に、上記締結金具の開口端の一方の端を係止し、開口端が基端方を向くような略逆「コ」の字状の屈曲部を備え、その基端方に隣接して、当該締結金具の上記略逆Ｕ字状になった頭部の外側の面に当接する当接部を備え、該当接部から基端方に延設された延設部を介してその基端方に手で把持する把持部が形成されている、締結工具であって、
この締結工具が、上記屈曲部から延設部にかけての外方に、
先端がダクトのフランジ部付け根の屈曲部分と上記リブとの間の部分に係止できるエッジ部を有し、その基端方に、外方へ「ヘ」の字状に突出した突出部分が上記締結金具の屈曲片に当接して該屈曲片をフランジ部側に折り曲げることができる折曲形成部を備えている。
上記本締結工具によれば、開口端が基端側を向いた先端の略逆「コ」の字状の屈曲部を、締結しようとする締結金具の開口端の一端に係止して、上記当接部を締結金具の略逆Ｕ字状（又は逆Ｖ字状、これらを逆Ｕ字状という）の頭部の外側の面に当接させた状態で、上記把持部を手で握って、上記屈曲部を中心に、締結しようとする相手のフランジ部側に回動させるだけで、接合しようとするフランジ部間に締結金具を「てこの原理」によって、上記被せるような状態で容易に取着することができる。  そして、上記締結金具による締結が完了すると、本締結工具の上記エッジ部の先端を、フランジ部の屈曲部分とリブとの間の部分に係止させて、そのエッジ部を中心に把持部側をフランジ部に近づく側に回動させれば、上記突出部分が屈曲片に当接して屈曲片がフランジ部側に折り曲がり、折り曲げられた締結金具の屈曲片がフランジ部同士を係止・固定することができる。
上記締結工具において、上記当接部が、締結金具の略逆Ｕ字状になった頭部の外側の面の形状に合致した部分逆Ｕの字状（又は逆Ｖ字状、これらを逆Ｕ字状という）に湾曲した部位を備えていると、上記取着の際に、安定して締結工具の当接部を締結金具の頭部の外側の面に沿わせた状態で使用することができる。
上記締結工具において、上記開口端が基端側を向いた先端の略逆「コ」の字状の屈曲部の第１の開口端から基端方へ上記延設部の長手方向に略平行に延びるとともに、該略平行に延びた部分とその基端方に屈曲して隣接する部分とで上記当接部を形成しており、かかる当接部の基端から基端方へ向けて上記屈曲した分だけ反対方向に略同じ角度だけ屈曲して延びることによって上記延設部が形成されており、上記折曲形成部が先端側の部分と基端側の部分とを有しこれらの部分が相互に略９０度屈曲しているとともに、上記当接部の一部を構成する上記隣接する部分の外側の面に上記折曲形成部の基端側の部分が接触するように相互に固定されており、上記折曲形成部の先端に上記エッジ部が形成されており、上記エッジ部の先端から上記突出部分の「ヘ」の状に突出した頂点までの長さが上記フランジ部のダクトの外側の面からフランジ部の端までの高さ（フランジ部の幅）と略等しく構成されていると、屈曲片を屈曲させるのに好ましい構成となる。
上記締結工具において、上記把持部の基端方に、上記延設方向に直交する方向に把持部の幅方向の端から端部が突出した棒状の係止部材がさらに一体に取着されていると、かかる係止部材の上記突出した端部で、上記屈曲された屈曲片を元の状態に戻すことができる。
【考案の効果】
【０００６】  前述のような構成からなる本考案にかかる締結工具によれば、熟練を要することなく、簡単に効率よく締結金具を、接合したダクトのフランジ部間に脱落することのないように取着することができる。また、締結金具を簡単に取り外すことができる。
【図面の簡単な説明】
【０００７】
【図１】  本考案の実施例にかかる締結工具の構成を示す右側面図である。
【図２】  図１に示す締結工具の構成を示す平面図である。
【図３】  図１に示す締結工具の構成を示す底面図である。
【図４】  （ａ）は図３のａ−ａ矢視図，（ｂ）は図３のｂ−ｂ矢視図である。
【図５】  接合しようとする各ダクトのフランジ部同士を接合させた状態を示す部分断面図である。
【図６】  図５に示すフランジ部間に締結金具の一端を係止したときの状態を、フランジ部を断面して表した図である。
【図７】  図６に示す状態から本考案にかかる締結工具を用いて締結金具を締結する状態を、フランジ部を断面して表した図である。
【図８】  図７に示す状態から締結工具を図において略９０度程度だけ時計方向に回動させて締結が完了した状態を表した図である。
【図９】  図８に示すように締結金具をフランジ部に締結した後に、この締結金具の屈曲片を折曲させるときの状態を示す側面図である。
【図１０】  フランジ部の接続部分を、締結金具を用いて締結したダクトラインを示す斜視図である。
【考案を実施するための形態】
【実施例】
【０００８】  図１〜図５に図示するこの実施例にかかる締結工具１は、図１０に図示するように、所定長さの各ダクト１０の各フランジ部１１を当接させてダクト１０同士を長手方向に接合する際に用いる締結金具２０を、上記当接させたフランジ部１１間に締結（挟着）するのに使用する。
上記ダクト１０は、図１０に図示するように、四角形の断面を有する筒状体（四角筒状体）の形態を有し、ダクト端には両端に四角枠状のフランジ部１１を有する。
また、図５乃至図９に図示するように、上記ダクト１０のフランジ部１１の中央側には、該フランジ部１１に隣接し且つ該フランジ部１１に沿って外方に突出した、断面が半円状の補強用リブ１２が、当該フランジ部１１に隣接して形成されている。
図１〜図５に図示するこの実施例にかかる締結工具１は、先端に、図６に図示する上記締結金具２０の開口端２１の一方の端２１ａを係止し、開口端１ａが基端方（矢印Ｅの側参照）を向くような略逆「コ」の字状の屈曲部１Ａを備え、その基端方に隣接して図６に図示する締結金具２０の上記略逆Ｕ字状になった頭部２０ｈの外側の面２０ｆに当接する当接部１Ｂを備え、該当接部１Ｂから基端方に延設された延設部１Ｃを介してその基端方に手で把持する把持部１Ｄが形成されている。上記屈曲部１Ａから延設部１Ｃにかけての外方に、先端が、図９に図示するダクト１０のフランジ部１１の屈曲部分１１ａと上記リブ１２との間の部分１３に係止できるエッジ部１Ｅを有し、その基端方に、外方へ突出した突出部分１Ｆが図９に図示する締結金具２０の屈曲片２０ｃに当接して該屈曲片２０ｃをフランジ部１１側に折り曲げる（図９に図示する屈曲片２０ｃは折り曲げられた後の状態を示す）ことができる折曲形成部１Ｇを備えている。なお、屈曲片２０ｃは締結金具２０の一部に切り込みを入れて且つ長さを短くすることによって、形成される
上記当接部１Ｂは、上記締結金具２０の略逆Ｕ字状になった頭部２０ｈの外側の面２０ｆの形状に略合致した部分逆Ｕの字状（又は逆Ｖ字状、これらを逆Ｕ字状という）に湾曲した部位１ｂを備えている。
上記開口端１ａが基端方を向いた先端の略逆「コ」の字状の屈曲部１Ａの第１の開口端部１ｓから基端方へ上記延設部１Ｃの長手方向に略平行に延びるとともに、該略平行に延びた部分１ｊとその基端方に屈曲して隣接する部分１ｋとで上記当接部１Ｂを形成しており、かかる当接部１Ｂの基端からこの締結工具１の基端方へ向けて上記屈曲した角度だけ反対方向に略同じ角度だけ屈曲して延びることによって上記延設部１Ｃが形成されており、上記折曲形成部１Ｇが先端側の部分１ｍと基端側の部分１ｎとを有しこれらの部分１ｍ，１ｎが相互に略９０度屈曲しているとともに、上記当接部１Ｂの一部を構成する上記隣接する部分１ｋの外側の面に上記折曲形成部１Ｇの基端側の部分１ｎが接触するように相互に固定されており、上記折曲形成部１Ｇの先端に上記エッジ部１Ｅが形成されており、上記エッジ部１Ｅの先端から上記突出部分１Ｆの「ヘ」の状に突出した頂点１ｗまでの長さが図８に図示するフランジ部１１のダクト１０の外側の面１０Ｆからフランジ部１１の端までの高さ（フランジ部の幅）Ｈと略等しく構成されている。
図２に図示するように、上記把持部１Ｄの基端方に、上記延設方向に直交する方向に把持部１Ｄの幅方向の端から端部１ｔが突出した棒状の係止部材１Ｔがさらに一体に取着されている。
上記した締結工具１によると、ダクト１０のフランジ部１１間に締結金具２０を挟着するに際して、次のように作用する。
即ち、図５に図示するように、接合しようとする二つのダクト１０を、それらのフランジ部１１同士を接合して、かかる接合された接続部分に形成される側断面が略Ｔ字状の外縁部分３０に、図６に図示するように、断面が略「７」の字状の締結金具２０の開口端２１の一方の端２１ａを係止する。
上記の状態で、図７に図示するように、上記締結金具２０の一方の端２１ａに、上記締結工具１の屈曲部１Ａを係止し、上記当接部１Ｂが上記締結金具２０の上記略逆Ｕ字状になった頭部２０ｈの外側の面２０ｆに当接するような状態で、上記把持部１Ｄを手で握って、上記屈曲部１Ａを中心に時計方向に略７０度ほど回転させる。このように回転させると、「てこの原理」によって、図８に図示するような状態となって、締結金具２０でフランジ部１１同士を挟持・締結できる。
このような状態から、上記締結工具１を上記接続部分から外して、図９に図示するように、この締結工具１のエッジ部１Ｅの先端を、フランジ部１１の屈曲部分１１ａと補強用リブ１２との間の部分１３に係止させて、このエッジ部１Ｅを中心に把持部１Ｄ側をフランジ部１１に近づく側（図９において反時計側）に実線で示す位置から二点鎖線で示す位置まで回動させれば、上記突出部分１Ｆが上記締結金具２０の屈曲片２０ｃに当接してこの屈曲片２０ｃがフランジ部１１側に折り曲がり、折り曲げられた締結金具２０の屈曲片２０ｃがフランジ部１１同士を係止・固定することができる。
また、上記ダクト１０同士の接続を解除したいようなときに、上記屈曲片２０ｃを元の状態に戻すときには、図９において折り曲げられている屈曲片２０ｃの背面方の空間３２に、上記締結工具１の棒状の係止部材１Ｔの端部１ｔを挿入して上記屈曲したと逆の方向に屈曲片２０ｃに力を加えれば、屈曲した上記屈曲片２０ｃを簡単に元に戻すことが可能となる。
前述した実施例は本考案の単なる実施例であって、本考案は、上記実施例に限定されるものでなく、本考案の技術的思想に基づく範囲において種々の形態で実施することが可能であることは言うまでもない。
【産業上の利用可能性】
【０００９】  本考案にかかる締結工具は、ダクト間を締結する締結金具の締結用等として使用することができる。
【符号の説明】
【００１０】    １．．．締結工具
１Ａ．．．屈曲部
１Ｂ．．．当接部
１Ｄ．．．把持部
１Ｅ．．．エッジ部
１Ｆ．．．突出部分
１Ｇ．．．折曲形成部
１０．．．ダクト
１１．．．フランジ部
１２．．．補強用リブ
２０．．．締結金具
２０ｃ．．．屈曲片